(57)【要約】【課題】はんだ付け部材に予備はんだを適正状態で付着させることができ、この予備はんだを使用してはんだ付けを行う際に接合不良が発生するのを効果的に防止できる予備はんだ付け装置及び予備はんだ付け方法を提供する。【解決手段】溶融はんだ２を貯留する予備はんだ槽３と、前記溶融はんだ２中にはんだ付け部材４を浸漬させる浸漬機構５と、前記溶融はんだ２中に浸漬された前記はんだ付け部材４を振動させる振動機構６とを備えている予備はんだ付け装置１、及びこの予備はんだ付け装置１を使用した予備はんだ付け方法。【選択図】図１
2020196040.tif 000002
【特許請求の範囲】
【請求項１】
溶融はんだを貯留する予備はんだ槽と、
前記溶融はんだ中にはんだ付け部材を浸漬させる浸漬機構と、
前記溶融はんだ中に浸漬された前記はんだ付け部材を振動させる振動機構とを備えている予備はんだ付け装置。
【請求項２】
前記浸漬位置にあるはんだ付け部材を水平移動させる水平移動機構を、さらに備えている請求項１記載の予備はんだ付け装置。
【請求項３】
前記振動機構は、回転軸を回転駆動するモータ部と、前記回転軸に取り付けられた回転ブレードとを有し、前記モータ部により前記回転ブレードを回転させて、その先端部を前記はんだ付け部材に間欠的に当接させる請求項１又は２記載の予備はんだ付け装置。
【請求項４】
前記振動機構は、把持部により把持された前記はんだ付け部材を、その軸と直交する方向に往復駆動する往復駆動部を有する請求項１又は２記載の予備はんだ付け装置。
【請求項５】
前記振動機構は、把持部により把持された前記はんだ付け部材を、その軸方向に往復駆動する往復駆動部を有する請求項１又は２記載の予備はんだ付け装置。
【請求項６】
前記振動機構は、把持部により把持された前記はんだ付け部材の軸を中心に、当該はんだ付け部材を回転駆動する回転駆動部を有する請求項１又は２記載の予備はんだ付け装置。
【請求項７】
予備はんだ槽内に貯留された溶融はんだ中にはんだ付け部材を浸漬する浸漬工程と、
前記溶融はんだ中に浸漬された前記はんだ付け部材に振動させる振動工程と、
前記溶融はんだ中から前記はんだ付け部材を取り出す取出工程とを有する予備はんだ付け方法。
【請求項８】
前記浸漬工程で前記はんだ付け部材を前記溶融はんだ中に浸漬する前に、前記はんだ付け部材のはんだ付け個所にフラックスを塗布する塗布工程を有する請求項７記載の予備はんだ付け方法。
【請求項９】
前記取出工程で前記溶融はんだ中から前記はんだ付け部材を取り出す前に、前記浸漬位置にある前記はんだ付け部材を水平方向に移動させる移動工程を有する請求項７又は８記載の予備はんだ付け方法。
【請求項１０】
前記はんだ付け部材は、アルミニウム線である請求項７乃至９の何れか１項に記載の予備はんだ付け方法。
【発明の詳細な説明】
【技術分野】
【０００１】
本発明は、はんだ付け部材の予備はんだを付着させる予備はんだ付け装置及び予備はんだ付け方法に関する。
【背景技術】
【０００２】
従来、予備はんだ漕内に収容された溶融はんだ中に、電子部品のリード線等からなるはんだ付け部材を浸漬することにより、このはんだ付け部材に予備はんだを付着させる浸漬装置において、電子部品を吸着した状態で所定の角度回転させる回転機構と、電子部品を傾斜させた状態で、所定の深さとなるまで電子部品のリード線等をはんだ漕に浸漬させる上下機構とを備えたものが知られている（例えば、特許文献１参照）。
【０００３】
また、電子部品を電気的に接続するアルミニウム線からなるはんだ付け部材を、予備はんだ付け部の溶融はんだ槽（予備はんだ槽）内に浸漬した状態で、超音波振動を照射する超音波ディップ工法等によりはんだ付け部材に予備はんだを付着させた後、加熱はんだ付け部おいて、はんだ付け部材をプリント基板等に接続することが行われていた（例えば、特許文献２参照）。
【先行技術文献】
【特許文献】
【０００４】
【特許文献１】特開２０１６−２２１５７０号公報
【特許文献２】特開平１０−２３３４８４号公報
【発明の概要】
【発明が解決しようとする課題】
【０００５】
特許文献１に開示された浸漬装置を用いたはんだ浸漬方法及び特許文献２に開示された超音波ディップ工法によれば、はんだ付け部材の先端部に予備はんだを付着させた後、しばらくの間（例えば数週間程度）放置してから、はんだゴテ等を用いてはんだ付け作業を行った場合に、はんだがぬれずに接合不良が発生するという問題があった。その原因は、必ずしも明確ではないが、はんだ付け部材に予備はんだを付着させた後の放置期間に、予備はんだが酸化したり、腐食したりすることが一因であると考えられる。
【０００６】
また、特許文献２に開示された超音波ディップ工法によりアルミニウム線に予備はんだ付けする作業を繰り返すと、アルミニウム線の表面から剥離したアルミニウム金属やその酸化物等が予備はんだ槽内に蓄積される。この結果、はんだ付け部材に付着させることができる予備はんだ量が次第に減少し、これが接合不良の原因となっていた。
【０００７】
そこで、本発明者等は、上述の接合不良の発生を防止するため、予備はんだをはんだ付け部材に付着させる際の濡れ性を良好にすることを目的として、フラックスをはんだ付け部材の表面に塗布した状態で、はんだ付け部材を予備はんだ漕内に浸漬してはんだ付け部材の表面に予備はんだを付着させるディップ工法の検討を行った。しかし、このフラックスを用いたディップ工法によれば、フラックスの揮発成分や、フラックスの分解成分、又はその金属酸化物に由来したガスからなるボイドが発生し易く、このボイドが予備はんだ中に巻き込まれた状態ではんだ付け部材の表面に付着するという別の問題が浮上した。
【０００８】
すなわち、溶融はんだ中に発生したボイドは、通常、浮力で浮遊して外気に放出されるが、溶融はんだ中に浸漬されたはんだ付け部材の表面近傍に位置するボイドは、はんだ付け部材の表面に形成された凹凸に捕捉され易い。この状態ではんだ付け部材を溶融はんだ中から取り出すと、はんだ付け部材の表面に付着した予備はんだ中にボイドが巻き込まれた状態となり、これに起因する接合不良が発生した。
【０００９】
これまで、予備はんだ漕内に貯留された溶融はんだの温度、はんだ付け部材の浸漬時間及び浸漬速度、はんだ付け部材に付着させるフラックスの濃度等を種々に変化させる実験を繰り返したが、予備はんだ中に巻き込まれるボイドを大幅に低減することは困難であり、これに起因した接合不良の発生を防止することが望まれていた。
【００１０】
本発明の目的は、はんだ付け部材に予備はんだを適正状態で付着させることができ、この予備はんだを使用してはんだ付けを行う際に接合不良が発生するのを効果的に防止できる予備はんだ付け装置及び予備はんだ付け方法を提供することである。
【課題を解決するための手段】
【００１１】
本発明の予備はんだ付け装置は、溶融はんだを貯留する予備はんだ槽と、前記溶融はんだ中にはんだ付け部材を浸漬させる浸漬機構と、前記溶融はんだ中に浸漬された前記はんだ付け部材を振動させる振動機構とを備えたものである。
【００１２】
この構成によれば、溶融はんだ中に浸漬されたはんだ付け部材を、振動機構によって振動させることにより、はんだ付け部材と溶融はんだとの接触機会を積極的に増大させて、はんだ付け部材の先端部表面に適量の予備はんだを付着させることができる。したがって、この予備はんだを使用してはんだ付け部材を被はんだ付け部に接合する際に、その接合強度を十分に確保することができる。
【００１３】
また、上述の予備はんだ付け装置において、前記浸漬位置にあるはんだ付け部材を水平方向に移動させる水平移動機構を、さらに備えた構成とすることが好ましい。
【００１４】
この構成によれば、浸漬位置にあるはんだ付け部材を水平方向に移動させることにより、振動機構により振い落された多数のボイドやごみ等が存在していない位置において、はんだ付け部材の取り出しを行うことができる。このため、はんだ付け部材を溶融はんだ中から取り出す際に、予備はんだの表面にボイド等が再付着するという事態の発生を効果的に防止することができる。
【００１５】
また、前記振動機構は、回転軸を回転駆動するモータ部と、前記回転軸に取り付けられた回転ブレードとを有し、前記モータ部により前記回転ブレードを回転させて、その先端部を前記はんだ付け部材に間欠的に当接させる構成とすることが好ましい。
【００１６】
この構成によれば、回転ブレードの先端部をはんだ付け部材に間欠的に当接させることにより、はんだ付け部材を効果的に振動させて、はんだ付け部材の先端部表面に適量の予備はんだを付着させることができるとともに、この予備はんだからボイド等を効率よく振るい落とすことができる。
【００１７】
また、前記振動機構は、把持部により把持された前記はんだ付け部材を、その軸と直交する方向に往復駆動する往復駆動部とを有する構成としてもよい。
【００１８】
この構成によれば、はんだ付け部材を、その軸と直交する方向に往復駆動することにより、はんだ付け部材を効果的に振動させて、はんだ付け部材に付着される予備はんだからボイド等を効率よく振るい落とすことができる。
【００１９】
また、前記振動機構は、把持部により把持された前記はんだ付け部材を、その軸方向に往復駆動する往復駆動部とを有する構成としてもよい。
【００２０】
この構成によれば、はんだ付け部材を、その軸方向に往復駆動することにより、はんだ付け部材を効果的に振動させて、はんだ付け部材に付着される予備はんだからボイド等を効率よく振るい落とすことができる。
【００２１】
また、前記振動機構は、把持部により把持された前記はんだ付け部材の軸を中心に、当該はんだ付け部材を回転駆動する回転駆動部とを有するものであってもよい。
【００２２】
この構成によれば、把持部により把持されたはんだ付け部材を、その軸を中心に回転駆動することにより、はんだ付け部材を効果的に振動させて、はんだ付け部材に付着される予備はんだからボイド等を効率よく振るい落とすことができる。
【００２３】
本発明の予備はんだ付け方法は、予備はんだ槽内に貯留された溶融はんだ中にはんだ付け部材を浸漬する浸漬工程と、前記溶融はんだ中に浸漬された前記はんだ付け部材に振動させる振動工程と、前記溶融はんだ中から前記はんだ付け部材を取り出す取出工程とを有するものである。
【００２４】
この構成によれば、浸漬工程で溶融はんだ中に浸漬されたはんだ付け部材を、振動工程において振動させることにより、はんだ付け部材と溶融はんだとの接触機会を積極的に増大させることができるため、はんだ付け部材の先端部表面に適量の予備はんだを付着させることができる。したがって、この予備はんだを使用してはんだ付け部材を被はんだ付け部に接合する際に、その接合強度を十分に確保することができる。
【００２５】
また、上述の予備はんだ付け方法において、前記浸漬工程で前記はんだ付け部材を前記溶融はんだ中に浸漬する前に、前記はんだ付け部材のはんだ付け個所にフラックスを塗布する塗布工程を有することが好ましい。
【００２６】
この構成によれば、はんだ付け部材の先端部表面に予備はんだを付着させる際の濡れ性を向上させることができる。しかも、フラックスの分解成分、又はその金属酸化物に由来したガスからなるボイドが発生した場合においても、溶融はんだ中に浸漬されたはんだ付け部材を振動させることにより、はんだ付け部材に付着される予備はんだからボイドを振るい落とした状態で、予備はんだの表面にボイドが張り付くことに起因した凹凸が形成されたり、はんだ付け部材に付着させた予備はんだの内部にボイドが巻き込まれたりするのを効果的に抑制することができる。
【００２７】
また、前記取出工程で前記溶融はんだ中から前記はんだ付け部材を取り出す前に、前記浸漬位置にある前記はんだ付け部材を水平方向に移動させる移動工程を有することが好ましい。
【００２８】
この構成によれば、浸漬位置にあるはんだ付け部材を移動工程で水平方向に移動させることにより、振動工程で振い落された多数のボイド等が存在していない位置において、はんだ付け部材の取り出しを行うことができる。このため、取出工程ではんだ付け部材を溶融はんだ中から取り出す際に、予備はんだの表面にボイド等が再付着するという事態の発生を効果的に防止することができる。
【００２９】
また、前記はんだ付け部材は、アルミニウム線であることが好ましい。
【００３０】
この構成によれば、銅線材によりはんだ付け部材を構成した場合に比べて、はんだ付け部材の重量を軽量化することができるとともに、材料費を安価にすることができるという利点がある。しかも、上述のように溶融はんだ中に浸漬されたはんだ付け部材を振動工程で振動させることにより、はんだ付け部材の先端部表面に適量の予備はんだを付着させることができる。
【発明の効果】
【００３１】
本発明の予備はんだ付け装置及び予備はんだ付け方法によれば、はんだ付け部材に予備はんだを適正状態で付着させることができ、この予備はんだを使用してはんだ付けを行う際に接合不良が発生するのを効果的に防止することが可能である。
【図面の簡単な説明】
【００３２】
【図１】本発明の実施形態に係るに係る予備はんだ付け装置の構成を示す部分断面図である。
【図２】はんだ付け部材を溶融はんだ中に浸漬した状態を示す部分断面図である。
【図３】図１のＩＩＩ−ＩＩＩ線断面図である。
【図４】本発明に係る予備はんだ付け方法の実施形態を示す工程図である。
【図５】本発明の予備はんだ付け方法によりはんだ付け部材に付着された予備はんだの外観を示す写真である。
【図６】本発明の予備はんだ付け方法によりはんだ付け部材に付着された予備はんだの内部を示すＸ線写真である。
【図７】従来の予備はんだ付け方法によりはんだ付け部材に付着された予備はんだの外観を示す写真である。
【図８】従来の予備はんだ付け方法によりはんだ付け部材に付着された予備はんだのの内部を示すＸ線写真である。
【図９】振動機構の他の例を示す拡大正面である。
【発明を実施するための形態】
【００３３】
以下、本発明に係る実施形態を図面に基づいて説明する。なお、各図において同一の符号を付した構成は、同一の構成であることを示し、その説明を省略する。
【００３４】
図１は、本発明に係る予備はんだ付け装置１の全体構成を示す部分断面図、図２は、はんだ付け部材４を溶融はんだ２中に浸漬した状態を示す部分断面図、図３は、図１のＩＩＩ−ＩＩＩ線断面図、図４は、本発明に係る予備はんだ付け方法の実施形態を示す工程図である。また、図５は、本発明の予備はんだ付け方法によりはんだ付け部材に付着された予備はんだの外観を示す写真、図６は、本発明の予備はんだ付け方法によりはんだ付け部材に付着された予備はんだの内部を示すＸ線写真、図７は、従来の予備はんだ付け方法によりはんだ付け部材に付着された予備はんだの外観を示す写真、図８は、従来の予備はんだ付け方法によりはんだ付け部材に付着された予備はんだの内部を示すＸ線写真である
【００３５】
予備はんだ付け装置１は、図１に示すように、Ｓｎ−Ａｇ−Ｃｕ系又はＳｎ−Ｃｕ系、又はＳｎ−Ｚｎ組成等の鉛フリーはんだ等からなる溶融はんだ２を貯留する予備はんだ槽３と、はんだ付け部材４の先端部を溶融はんだ２中に浸漬する浸漬機構５と、溶融はんだ２中に浸漬されたはんだ付け部材４を振動させる振動機構６と、浸漬位置にあるはんだ付け部材４を水平方向に移動させる水平移動機構７とを有している。はんだ付け部材４は、例えば自転車の車輪に設けられたハブに内蔵されるハブダイナモ（発電機）４０のコイルを構成するアルミニウム線等からなっている。
【００３６】
浸漬機構５は、はんだ付け部材４を着脱可能に把持する把持部８と、この把持部８に把持されたはんだ付け部材４を昇降変位させる昇降駆動部９とを有している。この昇降駆動部９は、水平移動機構７及び把持部８を鉛直ガイド１０に沿って上下方向にねじ送りするねじ送り機構、又は水平移動機構７及び把持部８を昇降変位させる駆動シリンダ等を備えている。そして、昇降駆動部９により把持部８を昇降変位させることにより、図１に示すように、はんだ付け部材４の先端部を溶融はんだ２の液面よりも上方に位置させた待機位置から、図２に示すように、はんだ付け部材４の先端部を溶融はんだ２中に進入させた下方の浸漬位置に変位させるように構成されている。
【００３７】
水平移動機構７は、水平ロッド１１を伸縮させて把持部８を水平方向に移動させる駆動シリンダ、又は把持部８を水平ガイド（図示せず）に沿ってねじ送りするねじ送りするねじ送り機構等からなっている。そして、水平移動機構７を作動させて把持部８を水平方向に移動させることにより、溶融はんだ２中に浸漬されたはんだ付け部材４の浸漬位置を、例えば図２の実線で示す予備はんだ槽３の左方部等から、図２の仮想線で示す予備はんだ槽３の右方部等に移動させるように構成されている。
【００３８】
振動機構６は、把持部８の側壁面等に取り付けられたモータ部１２と、モータ部１２の回転軸１３に取り付けられた回転ブレード１４とを有している。図３に示すように、回転ブレード１４の突出長さ、つまり回転軸１３の軸心から回転ブレード１４の先端部までの距離Ｔが、把持部８に把持されたはんだ付け部材４の軸心と回転軸１３の軸心との間隔Ｕよりも大きく設定されている。そして、モータ部１２の回転軸１３を、例えば１０００ｒｐｍ程度の高速で回転させることにより、回転ブレード１４の先端部をはんだ付け部材４に間欠的に当接させて、はんだ付け部材４を振動させるように構成されている。
【００３９】
回転ブレード１４は、適度の弾力性と耐熱性とを有する素材、例えば薄板のステンレス鋼板等により形成可能であるが、アルミニウム線等からなるはんだ付け部材４の損傷を防止するためには、適度の強度と耐熱性とを有する合成樹脂材、例えばポリカーボネート材等により形成することが望ましい。」
【００４０】
図４は、上述の予備はんだ付け装置１を使用した予備はんだ付け方法の実施形態を示している。この予備はんだ付け方法は、はんだ付け部材４の先端部からなるはんだ付け個所にフラックスを塗布する塗布工程Ｋ１と、予備はんだ槽３内に貯留された溶融はんだ２中にはんだ付け部材４を浸漬する浸漬工程Ｋ２と、溶融はんだ２中に浸漬されたはんだ付け部材４に振動させる振動工程Ｋ３と、浸漬位置にあるはんだ付け部材４を水平方向に移動させる移動工程Ｋ４と、溶融はんだ２中からはんだ付け部材４を取り出す取出工程Ｋ５とを有している。
【００４１】
塗布工程Ｋ１では、予備はんだをはんだ付け部材４に付着させる際の濡れ性を良好にするためのフラックス、例えばロジン系樹脂、ジエチレングルコールやブチルカルビトール等の溶剤、硬化ヒマシ油等のチクソ剤、モノカルボン酸やジカルボン酸及び有機酸等の活性剤から構成されたフラックス１５をはんだ付け部材４の先端部表面に塗布する（図１のハッチング参照）。
【００４２】
次いで、浸漬工程Ｋ２において、例えば図１に示すように、上方の待機位置に位置させた浸漬機構５の把持部８にハブダイナモ４０をセットし、このハブダイナモ４０のコイルを構成するアルミニウム導線材からなるはんだ付け部材４の先端部を把持部８の下方に所定距離だけ突出させた状態で、はんだ付け部材４を把持部８に把持させる。
【００４３】
その後、浸漬機構５の昇降駆動部９により把持部８を、図１に示す上方の待機位置から、図２に示す下方の浸漬位置に移動させる。これにより、図２の実線で示すように、はんだ付け部材４の先端部が予備はんだ槽３の溶融はんだ２中に浸漬された状態となる。
【００４４】
次に、振動工程Ｋ３において、振動機構６のモータ部１２を作動させ、図３の矢印Ａに示すように回転ブレード１４を回転させることにより、その先端部をはんだ付け部材４に間欠的に当接させてはんだ付け部材４を振動させる。これにより、はんだ付け部材４の先端部表面と溶融はんだ２との接触機会が積極的に増大され、図５及び図６に示すように、はんだ付け部材４の先端部表面に適量の予備はんだ４１を付着させることができる。また、はんだ付け部材４に付着される予備はんだ４１中に混入したボイドやごみ等が、はんだ付け部材４の振動に応じて振い落されるため、このボイド等が予備はんだ４１中に巻き込まれた状態となるのを効果的に抑制することができる。
【００４５】
次いで、取出工程Ｋ５において溶融はんだ３中からはんだ付け部材４を取り出す前に、移動工程Ｋ４で、水平移動機構７を作動させることにより、予備はんだ槽３内の浸漬位置にあるはんだ付け部材４を水平方向に移動させる。その後、取出工程Ｋ５で、浸漬機構５の昇降駆動部９により把持部８を下方の浸漬位置から上方の待機位置に移動させることにより、図２の仮想線で示す位置において、予備はんだ槽３内の溶融はんだ２中からはんだ付け部材４が取り出される。
【００４６】
そして、把持部８からハブダイナモ４０及びはんだ付け部材４を取り外した後、予備はんだ４１を使用してはんだ付け部材４を被はんだ付け部に接合する作業が行われる。具体的には、ハブダイナモ４０のコイルを構成するアルミニウム線等からなるはんだ付け部材４の先端部を、自転車の前照灯に設けられた電極等からなる被はんだ付け部に当接させた状態で、はんだ付け部材４の先端部にはんだゴテを押し当てる等により、予備はんだ４１を再溶融させてはんだ付け部材４を被はんだ付け部に接合する。
【００４７】
上述のように溶融はんだ２を貯留する予備はんだ槽３と、溶融はんだ２中にはんだ付け部材４を浸漬する浸漬機構５と、溶融はんだ２中に浸漬されたはんだ付け部材４を振動させる振動機構６とを備えた予備はんだ付け装置１、及びこの予備はんだ付け装置１を使用した予備はんだ付け方法によれば、はんだ付け部の接合不良が発生するのを効果的に防止して、その接合強度を十分に維持することができるとともに、接合部の電気抵抗が増大するのを抑制することができるという利点がある。
【００４８】
すなわち、上述の実施形態では浸漬工程Ｋ２で、アルミニウム線からなるはんだ付け部材４を、浸漬機構５の昇降駆動部９により上方の待機位置から下方の浸漬位置に移動させることにより、はんだ付け部材４の先端部を予備はんだ槽３の溶融はんだ２中に浸漬した後、取出工程Ｋ５で溶融はんだ２中からはんだ付け部材４を取り出す前に、振動工程Ｋ３において、振動機構６のモータ部１２を作動させ、回転ブレード１４の先端部をはんだ付け部材４に間欠的に当接させることにより、溶融はんだ２中に浸漬されたはんだ付け部材４を振動させるようにしている。
【００４９】
これにより、はんだ付け部材４の先端部表面と溶融はんだ２との接触機会を積極的に増大させて、はんだ付け部材４の先端部表面に適量の予備はんだ４１を付着させることができる。したがって、この予備はんだ４１を使用してはんだ付け部材４を被はんだ付け部に接合する際に、その接合強度を十分に確保することができる。
【００５０】
上述の実施形態では、塗布工程Ｋ１において、はんだ付け部材４の先端部にフラックス１５を塗布した後、浸漬工程Ｋ２で、はんだ付け部材４の先端部を予備はんだ槽３の溶融はんだ２中に浸漬するようにしたため、はんだ付け部材４の先端部表面に予備はんだ４１を付着させる際の濡れ性を向上させることができる。この反面、フラックス１５の分解成分、又はその金属酸化物に由来したガスからなるボイドが発生し易いという欠点がある。
【００５１】
したがって、溶融はんだ２中に浸漬されたはんだ付け部材４を、振動機構６により振動させることなく、溶融はんだ２中からはんだ付け部材４を取り出した場合には、図７に示すように、はんだ付け部材４に付着させた予備はんだ４１の表面にボイドが張り付くことに起因した多数の凹凸４２が形成され、この凹凸４２の存在により予備はんだ４１の表面に発生する酸化や腐食が促進される可能性がある。また、図８に示すように、はんだ付け部材４に付着させた予備はんだ４１の内部に多数のボイド４３が巻き込まれた状態となって、はんだ付け部の接合強度が低下し易いという欠点がある。しかも、ボイド４３の存在により接合断面積が減少して、接合部の電気抵抗が増大する可能性がある。
【００５２】
これに対して、溶融はんだ２中に浸漬されたはんだ付け部材４を、振動工程Ｋ３で振動させることにより、はんだ付け部材４に付着される予備はんだ４１からボイド等を振るい落とした後に、溶融はんだ２中からはんだ付け部材４を取り出すように構成した場合には、図５に示すように、はんだ付け部材４に付着させた予備はんだ４１の表面が平坦面に形成され、予備はんだ４１の表面にボイドが張り付くことに起因した凹凸は見られなかった。また、図６に示すように、はんだ付け部材４に付着させた予備はんだ４１の内部に巻き込まれたボイドも存在しないことが確認された。したがって、予備はんだ４１の表面に上述の凹凸が形成されることに起因した酸化や腐食が促進されることがなく、かつ予備はんだ４１の内部に多数のボイドが巻き込まれることに起因した接合強度の低下等を防止できることが分かった。
【００５３】
すなわち、取出工程Ｋ５で溶融はんだ２中からはんだ付け部材４を取り出した後、予備はんだ４１を使用して、はんだ付け部材４を被はんだ付け部に接合する際に、はんだ付け部材４に付着される予備はんだ４１中にボイドが巻き込まれることに起因した接合不良の発生を効果的に防止することができる。このため、はんだ付け部材４と被はんだ付け部との接合強度を十分に維持することができるとともに、この接合部にボイドが混入することに起因した種々の弊害を効果的に抑制することができる。
【００５４】
なお、塗布工程Ｋ１でフラックス１５をはんだ付け部材４の先端部表面に塗布した後、浸漬工程Ｋ２において、浸漬機構５の把持部８にはんだ付け部材４を把持させるように構成した上述の実施形態に代え、浸漬工程Ｋ２で浸漬機構５の把持部８にはんだ付け部材４を把持させ後、はんだ付け部材４を溶融はんだ２中に浸漬する前に、はんだ付け部材４の先端部表面にフラックス１５を塗布するように構成してもよい。
【００５５】
また、上述のようにはんだ付け部材４をアルミニウム線により構成した場合には、銅線材によりはんだ付け部材を構成した場合に比べて、はんだ付け部材４の重量を軽量化することができるとともに、材料費を安価にすることができるという利点がある。この反面、アルミニウム線からなるはんだ付け部材４に予備はんだ槽３に浸漬する作業を繰り返すと、アルミニウム線の表面から剥離したアルミニウム金属やその酸化物等が予備はんだ槽３内の溶融はんだ２中に蓄積されることが避けられない。このアルミニウム金属やその酸化物の影響で、はんだ付け部材４に付着させることができる予備はんだ４１の量が次第に減少する傾向がある。
【００５６】
しかし、上述のように溶融はんだ２中に浸漬されたはんだ付け部材４を振動機構６により振動させ、はんだ付け部材４と溶融はんだ２との接触機会を積極的に増大させるように構成した場合には、上述のアルミニウム金属やその酸化物の影響を排除して、常に適量の予備はんだ４１をはんだ付け部材４の先端部表面に付着させることができる。
【００５７】
さらに、上述の実施形態では、浸漬位置にあるはんだ付け部材４を水平方向に移動させる水平移動機構７を予備はんだ付け装置１に設け、移動工程Ｋ４において、上述の浸漬位置にあるはんだ付け部材４を水平方向に移動させた後に、取出工程Ｋ５において、予備はんだ３槽内からはんだ付け部材４を取り出すように構成したため、はんだ付け部材４に付着させた予備はんだ４１の表面にボイド等が張り付くことに起因した多数の凹凸が形成されることを、より効果的に防止できるという利点がある。
【００５８】
すなわち、振動機構６により振動させた後に、上述の浸漬位置にあるはんだ付け部材４を水平方向に移動させることなく、溶融はんだ２中からはんだ付け部材４を取り出すように構成した場合には、振動工程Ｋ３ではんだ付け部材４に付着される予備はんだ４１から振い落された多数のボイドやごみ等が、はんだ付け部材４の近傍に存在している位置において、はんだ付け部材４の取り出しが行われる。このため、はんだ付け部材４を溶融はんだ２中から取り出す際に、予備はんだ４１の表面に上述のボイド等が再付着する可能性がある。
【００５９】
これに対して、上述のように取出工程Ｋ５で、浸漬位置にあるはんだ付け部材４を水平移動機構７により水平方向に移動させた後に、予備はんだ３槽内からはんだ付け部材４を取り出すように構成した場合には、振動工程Ｋ３で振い落された多数のボイド等が存在していない位置において、はんだ付け部材４の取り出しが行われる。この結果、はんだ付け部材４を溶融はんだ２中から取り出す際に、予備はんだ４１の表面にボイド等が再付着するという事態の発生を効果的に防止することができる。
【００６０】
上述の実施形態では、回転軸１３を回転駆動するモータ部１２と、回転軸１３に取り付けられた回転ブレード１４とを有する振動機構６を備え、モータ部１２により回転ブレード１４を回転させて、その先端部をはんだ付け部材４に間欠的に当接させるように構成したため、はんだ付け部材４を高速で振動させることができ、はんだ付け部材４に付着される予備はんだ４１からボイド等を効率よく振るい落とすことができる。
【００６１】
なお、図９に示すように、振動機構６が、浸漬機構５の把持部８により把持されたはんだ付け部材４を間欠的に押動することにより、はんだ付け部材４を、その軸と直交する方向に高速で往復駆動するバイブレータ等からなる往復駆動部１６を備えた構成としてもよい。この構成においても、はんだ付け部材４を効果的に振動させて、はんだ付け部材４に付着される予備はんだ４１からボイド等を効率よく振るい落とすことができる。
【００６２】
また、振動機構６が、浸漬機構５の把持部８により把持されたはんだ付け部材４を、その軸と直交する方向に往復駆動する図外の駆動シリンダやバイブレータ等からなる往復駆動部を備えた構成としてもよい。この構成においても、はんだ付け部材４を効果的に振動させて、はんだ付け部材４に付着される予備はんだ４１からボイド等を効率よく振るい落とすことができる。
【００６３】
さらに、振動機構６が、浸漬機構５の把持部８により把持されたはんだ付け部材４の軸を中心にはんだ付け部材４を回転駆動する図外の駆動モータ等からなる回転駆動部を備えた構成としてもよい。この構成においても、はんだ付け部材４を効果的に振動させて、はんだ付け部材４に付着される予備はんだ４１からボイド等を効率よく振るい落とすことができる。
【符号の説明】
【００６４】
１  予備はんだ付け装置
２  溶融はんだ
３  予備はんだ槽
４  はんだ付け部材
５  浸漬機構
６  振動機構
７  水平移動機構
８  把持部
９  昇降駆動部
１０  鉛直ガイド
１１  水平ロッド
１２  モータ部
１３  回転軸
１４  回転ブレード
１５  フラックス
１６  往復駆動部
４１  予備はんだ
４２  凹凸
４３  ボイド
Ｋ１  塗布工程
Ｋ２  浸漬工程
Ｋ３  振動工程
Ｋ４  移動工程
Ｋ５  取出工程
【図１】
2020196040.tif 000003
【図２】
2020196040.tif 000004
【図３】
2020196040.tif 000005
【図４】
2020196040.tif 000006
【図５】
2020196040.tif 000007
【図６】
2020196040.tif 000008
【図７】
2020196040.tif 000009
【図８】
2020196040.tif 000010
【図９】
2020196040.tif 000011